(57)【要約】【課題】ベルマウスから流入した風の一部がベルマウス内面に沿って流れ、ベルマウス先端とシロッコファンの隙間より逆流しようとするのを防止する。【解決手段】送風回路の吸い込み口（ベルマウス）の内側部分に整流のための突起を設けることによって、ベルマウスから流入した風の一部がベルマウス内面に沿って流れ、ベルマウス先端とシロッコファンの隙間より逆流しようとするのを防止し、サージングによる騒音の上昇及び流量特性の低下を防ぐ。【選択図】　図３
2004144354.tif 000002
【特許請求の範囲】
【請求項１】
シロッコファンと、前記シロッコファンのケーシングと、前記ケーシングにはシロッコファンの複数の羽根の端面に対向して、空気吸い込み口である円状に絞り込んだベルマウスを設けて送風回路を形成した空気調和機であって、前記ベルマウスの円周外側で、かつ前記シロッコファンに対向する向きに、吸い込まれた風を整流するための突起を設けたことを特徴とする空気調和機。
【請求項２】
突起の断面形状において、シロッコファンの中心軸に対し遠い側を円弧状としたことを特徴とする請求項１記載の空気調和機　。
【請求項３】
前記送風回路の吸い込み口側より吹き出し口側に向かうケーシング形状が横方向に漸次なだらかに拡大するようにしたことを特徴とする請求項１または２記載の空気調和機。
【発明の詳細な説明】
【０００１】
【発明の属する技術分野】
本発明は、空気調和機の送風回路に関するもので、特にシロッコファンに係わるものである。
【０００２】
【従来の技術】
従来の空気調和機の送風回路について図面とともに説明する。従来の空気調和機の送風回路は、図２に示すようにシロッコファン１を包むように成形された台枠ケーシング部２とシロッコファンカバー３により構成されるとともに、台枠ケーシング部２とシロッコファンカバー３の各々の吸い込み口（以下ベルマウス４と言う）の断面形状は図６に示すように流入する風がスムーズにシロッコファン１に吸い込まれるように、円状に絞り込んだように一部曲面形状４ａとなっていた（前記台枠ケーシング部及びシロッコファンカバーのベルマウス断面図形状は同一の為、代表してシロッコファンカバーのベルマウス断面図を示す）。また、吸い込み口から吹き出し口側に向かっての形状４ｃ、４ｄは直線形状となっている。（例えば特許文献１参照）
【０００３】
【特許文献１】
特開平１０−１８５２３８号公報
【０００４】
【発明が解決しようとする課題】
しかしながら、上記従来の構成では、ベルマウス４から流入した風の一部が図７の矢印で示すよう、にベルマウス内面４ｃに沿って流れ、ベルマウス先端４ｂとシロッコファン１の隙間５より逆流するため、騒音の上昇及び流量特性の低下を発生させ、結果として送風性能の悪化を招くという課題を有していた。また、吸い込み口側から吹き出し口側に向かっての形状は直線形状となっており特に送風性能の向上を図る工夫はなされていなかった。
【０００５】
本発明はこのような従来の課題を解決するものであり、送風性能の向上を図ることを目的とするものである。
【０００６】
【課題を解決するための手段】
上記課題を解決するために本発明は、送風回路の吸い込み口（ベルマウス）を形成する台枠及びシロッコファンカバーの内側部分に、吸い込み空気の整流のための突起を設けたものである。
【０００７】
上記構成によって、送風回路の吸い込み口より吸い込まれた風の逆流を防止することが可能となり、また吹き出し側の流通抵抗を低減させることができ、その結果送風性能の向上を図ることができる。
【０００８】
【発明の実施の形態】
以下本発明の実施の形態について図面を参照して説明する。
【０００９】
（実施の形態１）
図１は本発明における空気調和機の全体構成を示し、図２は同空気調和機の台枠ケーシング部及びシロッコファンカバーの斜視図である。図３は前記台枠ケーシング部及びシロッコファンカバーのベルマウス断面図である。
【００１０】
図に示すように、この実施形態の空気調和機は、台枠８にシロッコファン１を包むように成形された台枠ケーシング部２が設けられ、シロッコファンカバー３を取りつけて送風回路を構成している。シロッコファン１は両端から空気を吸い込む形態とし、２個使いとしている。室内の空気は前面グリル９に設けた吸い込みグリル１０から吸い込まれ、ベルマウス４を通り、シロッコファン１により台枠８上方に吹き出され、熱交換器（図示せず）を通過して、吹き出しグリル１１より吹き出される。
【００１１】
台枠ケーシング部２とシロッコファンカバー３の各々のベルマウス４の断面形状は図３に示すように流入する風がスムーズにシロッコファン１に吸い込まれるように一部曲面形状４ａとなっており、このベルマウス先端部４ｂはシロッコファン１の羽根に隙間５をあけて対向している。また、ベルマウス先端部４ｂと略平行して、その送風回路内側には突起６が形成されている。
【００１２】
上記構成により、図３の矢印で示すように、ベルマウス４から流入した風の一部がベルマウス内面４ｃに沿って流れ、ベルマウス先端４ｂとシロッコファン１の隙間５より逆流しようとするのを突起６により防止するため、サージングによる騒音の上昇及び流量特性の低下を防ぐことができ、その結果送風性能の向上を図ることができる。
【００１３】
なお、突起６の先端はシロッコファン１に近いほど良いが組み立て性を考慮し、ベルマウス先端４ｂと同一面まで延出させている。また、突起６の位置は、シロッコファン１の円周外径（羽根の最外側の円周径）に合わせると送風性能が良くなる。
【００１４】
（実施の形態２）
図４は、本発明の他の実施形態における空気調和機の台枠ケーシング部及びシロッコファンカバーのベルマウス断面図である。第１の実施形態と同様に、ベルマウス先端部４ｂと平行してその近傍に突起６が形成されている。突起６のシロッコファン１の中心軸から遠い側は、断面形状で半円弧状部６ａとなっている。
【００１５】
上記構成により、ベルマウス４から流入した風の一部がベルマウス内面４ｃに沿って流れ、ベルマウス先端４ｂとシロッコファン１の隙間５より逆流しようとするのを突起６により防止するとともに、ベルマウス内面４ｃに沿って流れてきた風が、半円弧状部６ａに沿ってスムーズにシロッコファンの方へ戻り、衝突時の流量損失を大幅に低減することができるとともに、サージングによる騒音の上昇及び流量特性の低下を防ぐことができ、その結果さらに送風性能の向上を図ることができる。
【００１６】
（実施の形態３）
図５は、本発明の他の実施例における空気調和機の台枠ケーシング部及びシロッコカバーのベルマウス断面図である。図５に示すように、ベルマウス先端部４ｂと平行してその近傍に突起６が形成されている。また送風回路の吸い込み口側（ベルマウス４）より吹き出し口側に向かうケーシング形状７がシロッコファン１の横幅方向に漸次なだらかに拡大するように設けてある。
【００１７】
上記構成により、ベルマウス４から流入した風の一部がベルマウス内面４ｃ及びケーシング形状７に沿って流れ、ベルマウス先端４ｂとシロッコファン１の隙間５より逆流しようとするのを突起６により防止するため、サージングによる騒音の上昇及び流量特性の低下を防ぐことができるとともに、送風回路の吸い込み口側より吹き出し口側に向かうケーシング形状７が漸次なだらかに拡大するように設けてあるため、吹き出し側の流通抵抗を低減させ、その結果さらに送風性能の向上を図ることができる。なお、上記の突起６を実施形態２のようにすればさらに性能は向上する。
【００１８】
【発明の効果】
送風回路の吸い込み口（ベルマウス）に整流用の突起を設けることで、ベルマウスから流入した風の一部がベルマウス内面に沿って流れ、ベルマウス先端とシロッコファンの隙間より逆流しようとするのを突起により防止するため、サージングによる騒音の上昇及び流量特性の低下を防ぐことができ、その結果送風性能の向上を図ることができる。
【００１９】
また、前記突起の断面形状片側を半円弧状にすればベルマウス内面に沿って流れてきた風が、突起の半円弧形状に沿ってスムーズにシロッコファンの方へ戻り、突起衝突時の流量損失を大幅に低減することができる。
【００２０】
さらに、送風回路の吸い込み口側より吹き出し口側に向かうケーシング形状が漸次なだらかに拡大するように設けることで、吹き出し側の流通抵抗を低減させ、さらに送風性能の向上を図ることができる。
【図面の簡単な説明】
【図１】本発明における空気調和機の構成図
【図２】本発明の空気調和機の送風回路の分解斜視図
【図３】本発明の第１の実施形態による空気調和機の台枠ケーシング部及びシロッコファンカバーのベルマウス断面図
【図４】本発明の第２の実施形態による空気調和機の台枠ケーシング部及びシロッコファンカバーのベルマウス断面図
【図５】本発明の第３の実施形態による空気調和機の台枠ケーシング部及びシロッコファンカバーのベルマウス断面図
【図６】従来の空気調和機のベルマウス断面図
【符号の説明】
１　シロッコファン
２　台枠ケーシング部
３　シロッコファンカバー
４　ベルマウス
６　突起
７　ケーシング形状
８　台枠
９　前面グリル
１１　吹き出しグリル
【図１】
2004144354.tif 000003
【図２】
2004144354.tif 000004
【図３】
2004144354.tif 000005
【図４】
2004144354.tif 000006
【図５】
2004144354.tif 000007
【図６】
2004144354.tif 000008